(57)【要約】【課題】フルセグ放送受信の機会を増やすとともに、フルセグ放送受信とワンセグ放送受信が頻繁に切り替わることとブロックノイズが頻繁に発生することを防止することができるデジタル放送受信機およびその受信モード切替方法を提供すること。【解決手段】地上デジタル放送受信機１００は、変更可能な切替条件にしたがって、ワンセグメントデジタル放送の受信とフルセグメントデジタル放送の受信を相互に切り替えるフルセグ／ワンセグ切替部５３と、受信モードがフルセグ優先の第２の受信モードに設定された状態でフルセグメントデジタル放送の受信とワンセグメントデジタル放送の受信とが所定時間内に第１の所定回数切り替わったときに受信モードをワンセグ優先の第１の受信モードに変更する受信モード切替部５４とを備える。【選択図】図１
2015130588.tif 000002
【特許請求の範囲】
【請求項１】
第１の放送と、前記第１の放送よりも映像品質が良好な第２の放送とを受信する受信手段と、
前記第１の放送と前記第２の放送を相互に切り替える際の切替条件を変更することにより、前記第１の放送を優先的に受信する第１の受信モードと、前記第２の放送を優先的に受信する第２の受信モードのそれぞれの受信モードを設定する受信モード設定手段と、
前記切替条件にしたがって、前記第１の放送の受信と前記第２の放送の受信を相互に切り替える切替手段と、
前記受信モードが前記第２の受信モードに設定された状態で前記第２の放送の受信と前記第１の放送の受信とが所定時間内に第１の所定回数切り替わったときに前記受信モードを前記第１の受信モードに変更する受信モード切替手段と、
を備えることを特徴とするデジタル放送受信機
【請求項２】
請求項１において、
前記第１の放送は、地上デジタル放送のワンセグメントデジタル放送であり、前記第２の放送は、地上デジタル放送のフルセグメントデジタル放送であることを特徴とするデジタル放送受信機。
【請求項３】
請求項１または２において、
前記受信モード切替手段は、前記受信モードが前記第１の受信モードに設定された状態で前記第１の放送の受信と前記第２の放送の受信とが所定時間内に第２の所定回数切り替わったときに前記受信モードを前記第２の受信モードに変更することを特徴とするデジタル放送受信機。
【請求項４】
請求項１〜３のいずれか一項において、
前記第１の所定回数は、複数回であることを特徴とするデジタル放送受信機。
【請求項５】
請求項１〜４のいずれか一項において、
前記第２の所定回数は、１回であることを特徴とするデジタル放送受信機。
【請求項６】
請求項１〜５のいずれか一項において、
前記第１の受信モードにおける前記切替条件は、放送信号の高い受信品質に対応して設定された閾値を有し、前記第２の受信モードにおける前記切替条件は、放送信号の低い受信品質に対応して設定された閾値を有することを特徴とするデジタル放送受信機。
【請求項７】
請求項１〜６のいずれか一方において、
前記切替条件は、前記第１および第２の放送に対応するビット誤り率、搬送波電力対雑音電力比、放送信号の電界強度のいずれかと比較される閾値が用いられることを特徴とするデジタル放送受信機。
【請求項８】
請求項１〜７のいずれか一項において、
車両に搭載されていることを特徴とするデジタル放送受信機。
【請求項９】
請求項１〜７のいずれか一項において、
携帯端末に備わっていることを特徴とするデジタル放送受信機。
【請求項１０】
第１の放送と、前記第１の放送よりも映像品質が良好な第２の放送とを受信手段によって受信するステップと、
前記第１の放送と前記第２の放送を相互に切り替える際の切替条件を変更することにより、前記第１の放送を優先的に受信する第１の受信モードと、前記第２の放送を優先的に受信する第２の受信モードのそれぞれの受信モードを受信モード設定手段によって設定するステップと、
前記切替条件にしたがって、前記第１の放送の受信と前記第２の放送の受信を切替手段によって相互に切り替えるステップと、
前記受信モードが前記第２の受信モードに設定された状態で前記第２の放送の受信と前記第１の放送の受信とが所定時間内に第１の所定回数切り替わったときに前記受信モードを前記第１の受信モードに受信モード切替手段によって変更するステップと、
を有することを特徴とするデジタル放送受信機の受信モード切替方法。
【発明の詳細な説明】
【技術分野】
【０００１】
本発明は、車両等で用いられて時間の経過とともに放送信号の受信環境が変化するデジタル放送受信機およびその受信モード切替方法に関する。
【背景技術】
【０００２】
従来から、ワンセグ放送を再生するワンセグモードと、フルセグ放送を再生するフルセグモードの各動作モードを有し、受信品質が良好なときにフルセグ放送を受信し、受信品質が悪化したときにワンセグ放送を受信するようにした携帯端末が知られている（例えば、特許文献１参照）。この携帯端末では、ワンセグ放送受信からフルセグ放送受信への切り替えは、ワンセグＣ／Ｎ（搬送波電力対雑音電力比）が閾値を所定時間にわたって超えた時点でフルセグＢＥＲ（ビット誤り率）が閾値を下回っている場合に行われる。これにより、マルチパスによるフェージングの影響等により、ワンセグＣＮＲとフルセグＢＥＲとが線形の相関性を有しない場合であっても、受信品質が悪い状態でワンセグ放送受信からフルセグ放送受信に切り替わらないようになっている。
【先行技術文献】
【特許文献】
【０００３】
【特許文献１】特開２０１１−１０３５３９号公報
【発明の概要】
【発明が解決しようとする課題】
【０００４】
ところで、特許文献１に開示された携帯端末では、フルセグＢＥＲと比較する閾値を変更することで、フルセグ放送を優先的に受信するか、ワンセグ放送を優先的に受信するかを設定することが可能となる。
【０００５】
例えば、閾値を大きくした場合には、受信品質がかなり悪化するまでフルセグ放送受信からワンセグ放送受信に切り替わらないため、フルセグ放送を優先的に受信することができる。図３（Ｂ）に示すように、フルセグ放送を優先的に受信した場合には、受信品質が悪化した状態でもフルセグ放送の受信を継続すると、ワンセグ放送受信と頻繁に切り替わり、一時的に番組内容が不連続になったり、ブロックノイズが頻繁に発生して映像品質が低下するという問題があった。
【０００６】
一方、閾値を小さくしてワンセグ放送を優先的に受信した場合には、受信品質が少しでも悪化するとフルセグ放送受信からワンセグ放送受信に切り替わるため、図３（Ｃ）に示すように、フルセグ放送受信を維持する場合の頻繁な切り替わりやブロックノイズが頻繁に発生する事態は避けることができるが、受信する機会が多いワンセグ放送自体の映像品質が良いとはいえないという問題があった。
【０００７】
本発明は、このような点に鑑みて創作されたものであり、その目的は、フルセグ放送受信の機会を増やすとともに、フルセグ放送受信とワンセグ放送受信が頻繁に切り替わることとブロックノイズが頻繁に発生することを防止することができるデジタル放送受信機およびその受信モード切替方法を提供することにある。
【課題を解決するための手段】
【０００８】
上述した課題を解決するために、本発明のデジタル放送受信機は、第１の放送と第１の放送よりも映像品質が良好な第２の放送とを受信する受信手段と、第１の放送と第２の放送を相互に切り替える際の切替条件を変更することにより、第１の放送を優先的に受信する第１の受信モードと第２の放送を優先的に受信する第２の受信モードのそれぞれの受信モードを設定する受信モード設定手段と、切替条件にしたがって、第１の放送の受信と第２の放送の受信を相互に切り替える切替手段と、受信モードが第２の受信モードに設定された状態で第２の放送の受信と第１の放送の受信とが所定時間内に第１の所定回数切り替わったときに受信モードを第１の受信モードに変更する受信モード切替手段とを備えている。
【０００９】
また、本発明のデジタル放送受信機の受信モード切替方法は、第１の放送と第１の放送よりも映像品質が良好な第２の放送とを受信手段によって受信するステップと、第１の放送と第２の放送を相互に切り替える際の切替条件を変更することにより、第１の放送を優先的に受信する第１の受信モードと第２の放送を優先的に受信する第２の受信モードのそれぞれの受信モードを受信モード設定手段によって設定するステップと、切替条件にしたがって、第１の放送の受信と第２の放送の受信を切替手段によって相互に切り替えるステップと、受信モードが第２の受信モードに設定された状態で第２の放送の受信と第１の放送の受信とが所定時間内に第１の所定回数切り替わったときに受信モードを第１の受信モードに受信モード切替手段によって変更するステップとを有している。
【００１０】
特に、上述した第１の放送は、地上デジタル放送のワンセグメントデジタル放送であり、第２の放送は、地上デジタル放送のフルセグメントデジタル放送であることが望ましい。
【００１１】
第２の受信モードに設定して映像品質が良好な第２の放送（フルセグメントデジタル放送）を受信中に受信品質が悪化すると、第２の放送と第１の放送（ワンセグメントデジタル放送）とが頻繁に切り替わるようになるが、本発明では、この切り替わる回数が第１の所定回数になったときに第１の受信モードに変更されて、それ以後第１の放送を優先的に受信する。このため、第２の放送と第１の放送との間の切り替わりを途中で中止することができ、頻繁な切り替わりの発生を防止することができるとともに、ブロックノイズが頻繁に発生することを防止することができる。また、第２の受信モードから第１の受信モードに変更されるまでは、第２の受信モードで第２の放送を受信することができるため、第２の放送（フルセグメントデジタル放送）の受信の機会を増やすことができる。
【００１２】
また、上述した受信モード切替手段は、受信モードが第１の受信モードに設定された状態で第１の放送の受信と第２の放送の受信とが所定時間内に第２の所定回数切り替わったときに受信モードを第２の受信モードに変更することが望ましい。これにより、第１の放送を受信中に、受信品質が改善したことを確認した後に、第２の放送の受信を再開することができる。
【００１３】
また、上述した第１の所定回数は、複数回であることが望ましい。これにより、受信品質が悪化したことを確認した後に第２の受信モードから第１の受信モードに変更することができる。
【００１４】
また、上述した第２の所定回数は、１回であることが望ましい。これにより、受信品質が改善した際に速やかに第２の放送の受信を開始することができ、さらに第２の放送の受信の機会を増やすことができる。
【００１５】
また、上述した第１の受信モードにおける切替条件は、放送信号の高い受信品質に対応して設定された閾値を有し、第２の受信モードにおける切替条件は、放送信号の低い受信品質に対応して設定された閾値を有することが望ましい。これにより、第１の受信モードにおいて高い受信品質で第２の放送から第１の放送に切り替えて第１の放送を優先的に受信することができる。また、第２の受信モードにおいて低い受信品質になるまで第２の放送の受信状態を維持して第２の放送を優先的に受信することができる。
【００１６】
また、上述した切替条件は、第１および第２の放送に対応するビット誤り率、搬送波電力対雑音電力比、放送信号の電界強度のいずれかと比較される閾値が用いられることが望ましい。これにより、受信品質に応じて第１の放送と第２の放送とを確実に切り替えることが可能となる。
【００１７】
また、本発明のデジタル放送受信機は、車両に搭載されていることが望ましい。これにより、車両の走行とともに受信品質が変化する場合であっても第２の放送を優先的に受信しつつ、第１の放送との間の頻繁な切り替わりやブロックノイズの発生を防止することが可能となる。
【００１８】
あるいは、本発明のデジタル放送受信機は、携帯端末に備わっていることが望ましい。これにより、利用者の移動（徒歩の移動だけでなく、車両等の乗り物に乗車しての移動も含まれる）とともに利用者が所持している携帯端末が移動して受信品質が変化する場合であっても第２の放送を優先的に受信しつつ、第１の放送との間の頻繁な切り替わりやブロックノイズの発生を防止することが可能となる。
【図面の簡単な説明】
【００１９】
【図１】一実施形態の地上デジタル放送受信機の構成を示す図である。
【図２】受信中の放送波に対応するＢＥＲが変化した際に受信モードおよびフルセグメントデジタル放送／ワンセグメントデジタル放送を切り替える動作手順を示す流れ図である。
【図３】フルセグメントデジタル放送とワンセグメントデジタル放送の切り替えの様子を示す説明図である。
【発明を実施するための形態】
【００２０】
以下、本発明を適用した一実施形態の地上デジタル放送受信機について、図面を参照しながら説明する。図１は、一実施形態の地上デジタル放送受信機の構成を示す図である。図１に示すように、本実施形態の地上デジタル放送受信機１００は、４つのチューナ部１０、１２、１４、１６、２つのＯＦＤＭ（Orthogonal Frequency Division Multiplex）復調部３０、３２、ＭＰＥＧデコーダ４０、デジタル−アナログ変換器（Ｄ／Ａ）４２、スピーカ４４、表示処理部４６、表示装置４８、制御部５０を含んで構成されている。この地上デジタル放送受信機１００は、車両に搭載されている。
【００２１】
チューナ部１０、１２、１４、１６のそれぞれは、指定された放送局に対応する受信周波数の放送波をアンテナを介して受信する。ＯＦＤＭ復調部３０、３２のそれぞれは、複数のチューナ部から入力される放送信号（ＩＦ信号）に対してＯＦＤＭ復調処理を行い、ＴＳ（トランスポートストリーム）信号を出力する。本実施形態では、複数のチューナ部から入力される放送信号を用い、これらの放送信号の位相を調整した後に合成して受信する合成ダイバーシティ構成が採用され、使用するチューナ部の数が多い程Ｃ／Ｎを向上させるとともに、ＢＥＲを低下させることができる。
【００２２】
例えば、本実施形態では、４つのチューナ部１０、１２、１４、１６から出力される４つのＩＦ信号を合成してＯＦＤＭ復調処理を行う４合成ダイバーの動作がＯＦＤＭ復調部３０によって行われる。また、この４合成ダイバーの動作を行う際には、他方のＯＦＤＭ復調部３２の出力信号が一方のＯＦＤＭ復調部３０に入力されて、このＯＦＤＭ復調部３０によってＩＦ信号の合成およびＯＦＤＭ復調処理が行われる。
【００２３】
ＭＰＥＧデコーダ４０は、ＯＦＤＭ復調部３０、３２から出力されるＴＳ信号に含まれる受信番組の音声および映像のＭＰＥＧ信号をデコードし、音声データおよび映像データを出力する。なお、実際には、ＯＦＤＭ復調部３０、３２から出力されるＴＳ信号はデマルチプレクサに入力されて、利用者が視聴を希望している番組に対応する音声および映像のＭＰＥＧ信号が分離されるが、このような番組の受信動作自体は従来手法と同じであって、図１では概略構成のみが図示されている。
【００２４】
デジタル−アナログ変換器４２は、ＭＰＥＧデコーダ４０から出力される音声データをアナログ音声信号に変換し、スピーカ４４から出力する。表示処理部４６は、ＭＰＥＧデコーダ４０から出力される映像データを、表示に適した形式（例えば、ＮＴＳＣ形式）の映像信号に変換して表示装置４８に表示する。
【００２５】
制御部５０は、地上デジタル放送受信機１００の全体を制御するとともに、電波状態に応じて受信モードを切り替える動作を行う。このために、制御部５０は、ＢＥＲ測定部５１、受信モード設定部５２、フルセグ／ワンセグ切替部５３、受信モード切替部５４を備えている。
【００２６】
ＢＥＲ測定部５１は、４つのチューナ部１０〜１６を用いた４合成ダイバー動作に対応してＯＦＤＭ復調部３０から出力される復調処理後のＴＳ信号に基づいてＢＥＲを測定する。
【００２７】
受信モード設定部５２は、ワンセグメントデジタル放送とフルセグメントデジタル放送を相互に切り替える際の切替条件を変更することにより、ワンセグメントデジタル放送を優先的に受信する第１の受信モードと、フルセグメントデジタル放送を優先的に受信する第２の受信モードのそれぞれの受信モードを設定する。フルセグ／ワンセグ切替部５３は、切替条件にしたがって、ワンセグメントデジタル放送の受信とフルセグメントデジタル放送の受信を相互に切り替える。
【００２８】
例えば、第１の受信モードにおける切替条件は、放送信号の高い受信品質に対応して設定された閾値（小さいＢＥＲ値相当の閾値Ｓ１）を有する。第１の受信モードにおいて、ＢＥＲ測定部５１によって測定されたＢＥＲが、この小さいＢＥＲ値相当の閾値Ｓ１よりも大きい場合にはワンセグメントデジタル放送に切り替えられ、測定されたＢＥＲがこの閾値Ｓ１よりも小さい場合にはフルセグメントデジタル放送に切り替えられる。すなわち、放送信号の受信品質が高い状態（ＢＥＲが小さい状態）で、フルセグメントデジタル放送からワンセグメントデジタル放送に切り替えられるため、第１の受信モードでは、ワンセグメントデジタル放送を優先的に受信することができる。
【００２９】
これに対し、第２の受信モードにおける切替条件は、放送信号の低い受信品質に対応して設定された閾値（大きいＢＥＲ値相当の閾値Ｓ２）を有する。第２の受信モードにおいて、ＢＥＲ測定部５１によって測定されたＢＥＲが、この大きいＢＥＲ値相当の閾値Ｓ２よりも大きい場合にはワンセグメントデジタル放送に切り替えられ、測定されたＢＥＲがこの閾値Ｓ２よりも小さい場合にはフルセグメントデジタル放送に切り替えられる。すなわち、放送信号の受信品質が低い状態（ＢＥＲが大きい状態）で、フルセグメントデジタル放送からワンセグメントデジタル放送に切り替えられるため、第２の受信モードでは、フルセグメントデジタル放送を優先的に受信することができる。
【００３０】
受信モード切替部５４は、受信モードが第２の受信モードに設定された状態で、フルセグメントデジタル放送の受信とワンセグメントデジタル放送の受信とが所定時間内に第１の所定回数Ｎ（例えばＮ＝５）切り替わったときに、受信モードを第１の受信モードに変更する。また、受信モード切替部５４は、受信モードが第１の受信モードに設定された状態で、ワンセグメントデジタル放送の受信とフルセグメントデジタル放送の受信とが所定時間内に第２の所定回数Ｍ（例えばＭ＝１）切り替わったときに、受信モードを第２の受信モードに変更する。
【００３１】
上述したワンセグメントデジタル放送が第１の放送に、フルセグメントデジタル放送が第２の放送に、チューナ部１０〜１６、ＯＦＤＭ復調部３０、３２、ＭＰＥＧデコーダ４０が受信手段にそれぞれ対応する。また、上述した受信モード設定部５２が受信モード設定手段に、ワンセグ／フルセグ切替部５３が切替手段に、受信モード切替部５４が受信モード切替手段にそれぞれ対応する。
【００３２】
本実施形態の地上デジタル放送受信機１００はこのような構成を有しており、次に、受信した放送波に対応するＢＥＲが変化したときに受信モードを切り替える動作について説明する。
【００３３】
地上デジタル放送ではＭＰＥＧ２−ＴＳ（Transport Stream）規格に準拠した構造を有する放送波が配信される。ＭＰＥＧ２−ＴＳは、ＴＳヘッダ部と、ペイロード部（データ本体）とを有する。ＴＳヘッダ部とペイロード部とで１８８バイトのトランスポート・パケットが構成されている。また、このＭＰＥＧ２−ＴＳで伝送されるデータには、ＰＡＴ（Program Association Table）、ＰＭＴ、ＮＩＴ、ＢＩＴなどがある。
【００３４】
ＰＡＴ：番組（プログラム）番号ごとにその番組構成を記述しているテーブル（ＰＭＴ）を伝送しているトランスポート・パケットのＰＩＤ（Packet Identification、パケット識別情報）が記述されている。ＰＡＴ自身のＰＩＤは、固定値（０ｘ００００）を有する。このＰＡＴは、所定時間以内に１回受信される。
【００３５】
ＰＭＴ：このトランスポート・パケットのペイロード部に、１つの番組を構成するビデオ、オーディオなどの個別ストリームが伝送されているトランスポート・パケットのＰＩＤのリストや付属情報（サービス識別等）が記述されている。
【００３６】
ＮＩＴ：このトランスポート・パケットのペイロード部に、放送局のネットワーク識別が記述されている。
【００３７】
ＢＩＴ：このトランスポート・パケットのペイロード部に系列局情報が含まれる。ＢＩＴのＰＩＤは、固定値（０ｘ００２４）を有する。 このＢＩＴの拡張ブロードキャスタ記述子にはａｆｆｉｌｉａｔｉｏｎ＿ｉｄ（系列局識別）が含まれている。
【００３８】
図２は、受信中の放送波に対応するＢＥＲが変化した際に受信モードおよびフルセグメントデジタル放送／ワンセグメントデジタル放送を切り替える動作手順を示す流れ図である。
【００３９】
最初に、受信モード切替部５４は、受信モードをフルセグメントデジタル放送の受信を優先させる第２の受信モードに設定する（ステップ１００）。その後、４つのチューナ１０〜１６を用いてフルセグメントデジタル放送の受信が行われる（ステップ１０２）。また、この受信動作と並行してＢＥＲ測定部５１によってＢＥＲが測定されると、フルセグ／ワンセグ切替部５３は、測定されたＢＥＲが、大きいＢＥＲ値相当の閾値Ｓ２よりも大きいか否かを判定する（ステップ１０４）。ＢＥＲが閾値Ｓ２以下の場合には否定判断が行われ、ステップ１０２に戻ってフルセグメントデジタル放送の受信が継続される。
【００４０】
また、ＢＥＲが閾値Ｓ２よりも大きい場合にはステップ１０４の判定において肯定判断が行われる。この場合には、フルセグ／ワンセグ切替部５３は、４つのチューナ１０〜１６を用いたワンセグメントデジタル放送受信に切り替える（ステップ１０６）。また、受信モード切替部５４は、フルセグメントデジタル放送受信とワンセグメントデジタル放送受信の所定時間内での相互の切替回数がＮ（＝５）に達したか否かを判定する（ステップ１０８）。達しない場合には否定判断が行われ、フルセグ／ワンセグ切替部５３は、この時点で測定されたＢＥＲが、大きいＢＥＲ値相当の閾値Ｓ２よりも小さいか否かを判定する（ステップ１１０）。ＢＥＲが閾値Ｓ２以上の場合には否定判断が行われ、ステップ１０６に戻ってワンセグメントデジタル放送の受信が継続される。
【００４１】
なお、上述したステップ１１０で用いられるＢＥＲはワンセグ放送受信時に測定されたＢＥＲであり、ステップ１０４で用いられるＢＥＲはフルセグメントデジタル放送受信時に測定されたＢＥＲであり、本来異なるものである。したがって、これらのＢＥＲと比較する閾値Ｓ２も異なるものを用いる必要があるが、上記説明では便宜上同じ符号Ｓ２が用いられている。この点は、後述するステップ１１８、１２４で用いられる閾値Ｓ１についても同じである。
【００４２】
また、ＢＥＲが閾値Ｓ２よりも小さい場合にはステップ１１０の判定において肯定判断が行われる。この場合には、ステップ１０２に戻ってフルセグメントデジタル放送受信に切り替えられる。
【００４３】
また、切替回数がＮに達するとステップ１０８の判定において肯定判断が行われる。次に、受信モード切替部５４は、それまでの切替回数をリセットする（ステップ１１２）。
【００４４】
次に、受信モード切替部５４は、受信モードをワンセグメントデジタル放送の受信を優先させる第１の受信モードに設定する（ステップ１１４）。その後、４つのチューナ１０〜１６を用いてワンセグメントデジタル放送の受信が行われる（ステップ１１６）。また、この受信動作と並行してＢＥＲ測定部５１によってＢＥＲが測定されると、フルセグ／ワンセグ切替部５３は、測定されたＢＥＲが、小さいＢＥＲ値相当の閾値Ｓ１よりも小さいか否かを判定する（ステップ１１８）。ＢＥＲが閾値Ｓ１以上の場合には否定判断が行われ、ステップ１１６に戻ってワンセグメントデジタル放送の受信が継続される。
【００４５】
また、ＢＥＲが閾値Ｓ１よりも小さい場合にはステップ１１８の判定において肯定判断が行われる。この場合には、フルセグ／ワンセグ切替部５３は、４つのチューナ１０〜１６を用いたフルセグメントデジタル放送受信に切り替える（ステップ１２０）。また、受信モード切替部５４は、ワンセグメントデジタル放送受信とフルセグメントデジタル放送受信の所定時間内での相互の切替回数がＭ（＝１）に達したか否かを判定する（ステップ１２２）。達しない場合には否定判断が行われ、フルセグ／ワンセグ切替部５３は、この時点で測定されたＢＥＲが、小さいＢＥＲ値相当の閾値Ｓ１よりも大きいか否かを判定する（ステップ１２４）。ＢＥＲが閾値Ｓ１以下の場合には否定判断が行われ、ステップ１２０に戻ってフルセグメントデジタル放送の受信が継続される。
【００４６】
また、ＢＥＲが閾値Ｓ１よりも大きい場合にはステップ１２４の判定において肯定判断が行われる。この場合には、ステップ１１６に戻ってワンセグメントデジタル放送受信に切り替えられる。
【００４７】
また、切替回数がＭに達するとステップ１２２の判定において肯定判断が行われる。次に、受信モード切替部５４は、それまでの切替回数をリセットする（ステップ１２６）。その後、ステップ１００に戻って、第２の受信モードの設定処理以降の動作が繰り返される。
【００４８】
図３は、フルセグメントデジタル放送とワンセグメントデジタル放送の切り替えの様子を示す説明図である。図３（Ａ）に示す本発明の切り替え状態と比較するために、従来のフルセグメントデジタル放送の受信を優先させる場合の切り替え状態が図３（Ｂ）に、ワンセグメントデジタル放送の受信を優先させる場合の切り替え状態が図３（Ｃ）に示されている。
【００４９】
図３（Ａ）に示すように、本発明（本実施形態）では、第２の受信モード（フルセグ優先）でフルセグメントデジタル放送を受信中に受信品質が悪化すると、図３（Ｂ）に示す従来のフルセグ優先の場合と同様に、頻繁にブロックノイズとワンセグメントデジタル放送の間の切り替えが発生する。しかし、本実施形態では、フルセグメントデジタル放送とワンセグメントデジタル放送の切り替え回数がＮ（＝５）に達した時点で、受信モードが第２の受信モードから第１の受信モード（ワンセグ優先）に変更されるため、その後のブロックノイズの発生やワンセグメントデジタル放送とフルセグメントデジタル放送の間の切り替えが抑制される。
【００５０】
一方、第１の受信モードでワンセグメントデジタルを受信中に受信品質が改善されてフルセグメントデジタル放送に切り替わると、直ちに、受信モードが第１の受信モードから第２の受信モードに復帰する。このため、その後は良好な映像品質を有するフルセグメントデジタル放送を優先的に受信することが可能となる。
【００５１】
このように、本実施形態の地上デジタル放送受信機１００では、第２の受信モード（フルセグ優先）に設定して映像品質が良好なフルセグメントデジタル放送を受信中に受信品質が悪化すると、フルセグメントデジタル放送とワンセグメントデジタル放送とが頻繁に切り替わるようになるが、この切り替わる回数が第１の所定回数Ｎになったときに第１の受信モード（ワンセグ優先）に変更されて、それ以後ワンセグメントデジタル放送を優先的に受信する。このため、フルセグメントデジタル放送とワンセグメントデジタル放送との間の切り替わりを途中で中止することができ、頻繁な切り替わりの発生を防止することができるとともに、ブロックノイズが頻繁に発生することを防止することができる。また、第２の受信モードから第１の受信モードに変更されるまでは、第２の受信モードでフルセグメントデジタル放送を受信することができるため、フルセグメントデジタル放送の受信の機会を増やすことができる。
【００５２】
また、受信モードが第１の受信モードに設定された状態でワンセグメントデジタル放送の受信とフルセグメントデジタル放送の受信とが所定時間内に第２の所定回数Ｍ切り替わったときに受信モードを第２の受信モードに変更している。これにより、ワンセグメントデジタル放送を受信中に、受信品質が改善したことを確認した後に、フルセグメントデジタル放送の受信を再開することができる。
【００５３】
また、上述した第１の所定回数Ｎを複数回とすることにより、受信品質が悪化したことを確認した後に第２の受信モードから第１の受信モードに変更することができる。一方、上述した第２の所定回数Ｍを１回とすることにより、受信品質が改善した際に速やかにフルセグメントデジタル放送の受信を開始することができ、さらにフルセグメントデジタル放送の受信の機会を増やすことができる。
【００５４】
また、第１の受信モードにおける切替条件は、放送信号の高い受信品質に対応して設定された閾値Ｓ１（小）を有し、第２の受信モードにおける切替条件は、放送信号の低い受信品質に対応して設定された閾値Ｓ２（大）を有している。これにより、第１の受信モードにおいて高い受信品質でフルセグメントデジタル放送からワンセグメントデジタル放送に切り替えてフルセグメントデジタル放送を優先的に受信することができる。また、第２の受信モードにおいて低い受信品質になるまでフルセグメントデジタル放送の受信状態を維持してフルセグメントデジタル放送を優先的に受信することができる。
【００５５】
また、上述した切替条件は、フルセグメントデジタル放送およびワンセグメントデジタル放送に対応するＢＥＲと比較される閾値Ｓ２、Ｓ１が用いられている。これにより、受信品質に応じてフルセグメントデジタル放送とフルセグメントデジタル放送とを確実に切り替えることが可能となる。
【００５６】
また、デジタル放送受信機１００は車両に搭載されており、車両の走行とともに受信品質が変化する場合であってもフルセグメントデジタル放送を優先的に受信しつつ、ワンセグメントデジタル放送との間の頻繁な切り替わりやブロックノイズの発生を防止することが可能となる。
【００５７】
なお、本発明は上記実施形態に限定されるものではなく、本発明の要旨の範囲内において種々の変形実施が可能である。例えば、上述した実施形態では、４つのチューナ部１０〜１６を用いたダイバーシティ構成の地上デジタル放送受信機１００に本発明を適用したが、チューナ部の数はこれ以外であってもよい。また、シングルチューナであってもよい。
【００５８】
また、上述した実施形態では、地上デジタル放送受信機１００について本発明を適用したが、ＭＰＥＧ２−ＴＳ規格に準拠した構造を有する放送波を受信する受信機やその他の方式の受信機についても本発明を適用することができる。また、第１の放送としてワンセグメントデジタル放送を、第２の放送としてフルセグメントデジタル放送を考えたが、ワンセグメントデジタル放送やフルセグメントデジタル放送以外であっても映像品質が異なる２種類の放送を選択的に受信する場合に本発明を適用することができる。
【００５９】
また、上述した実施形態では、受信品質を示す特性値としてＢＥＲを用いたが、Ｃ／Ｎや、放送信号の電界強度を用いるようにしてもよい。これらを用いた場合であっても、確実に受信品質に応じてワンセグメントデジタル放送とフルセグメントデジタル放送とを切り替えることが可能となる。
【００６０】
また、上述した実施形態では、車両に搭載された地上デジタル放送受信機１００について説明したが、携帯端末に備わっている地上デジタル放送受信機についても本発明を適用することができる。この場合に、利用者の移動（徒歩の移動だけでなく、車両等の乗り物に乗車しての移動も含まれる）とともに利用者が所持している携帯端末が移動して受信品質が変化する場合であってもフルセグメントデジタル放送を優先的に受信しつつ、ワンセグメントデジタル放送との間の頻繁な切り替わりやブロックノイズの発生を防止することが可能となる。
【００６１】
また、上述した実施形態では、第１の所定回数Ｎを５、第２の所定回数Ｍを１としたが、これら以外の値を用いるようにしてもよい。また、第１の受信モードと第２の受信モードを交互に切り替えたが、閾値Ｓ２や閾値Ｓ１として複数の値を用意し、所定時間内における切り替え回数の大小に応じてこれら閾値Ｓ２やＳ１の値を変更するようにしてもよい。また、この場合に、閾値Ｓ２やＳ１の値を複数段階あるいは連続的に変化させるようにしてもよい。
【産業上の利用可能性】
【００６２】
上述したように、本発明によれば、第２の受信モードに設定して映像品質が良好な第２の放送（フルセグメントデジタル放送）を受信中に受信品質が悪化すると、第２の放送と第１の放送（ワンセグメントデジタル放送）とが頻繁に切り替わるようになるが、この切り替わる回数が第１の所定回数になったときに第１の受信モードに変更されて、それ以後第１の放送を優先的に受信する。このため、第２の放送と第１の放送との間の切り替わりを途中で中止することができ、頻繁な切り替わりの発生を防止することができるとともに、ブロックノイズが頻繁に発生することを防止することができる。また、第２の受信モードから第１の受信モードに変更されるまでは、第２の受信モードで第２の放送を受信することができるため、第２の放送（フルセグメントデジタル放送）の受信の機会を増やすことができる。
【符号の説明】
【００６３】
１００  地上デジタル放送受信機
１０、１２、１４、１６  チューナ部
３０、３２  ＯＦＤＭ復調部
４０  ＭＰＥＧデコーダ
４２  デジタル−アナログ変換器（Ｄ／Ａ）
４４  スピーカ
４６  表示処理部
４８  表示装置
５０  制御部
５１  ＢＥＲ測定部
５２  受信モード設定部
５３  フルセグ／ワンセグ切替部
５３  受信モード切替部
【図１】
2015130588.tif 000003
【図２】
2015130588.tif 000004
【図３】
2015130588.tif 000005